(57)【要約】【課題】画像表示装置のＣＰＵの処理負荷を軽減させ、記憶領域の利用効率を向上させる画像表示装置、画像供給システムおよびプログラムを提供すること。【解決手段】複数のノートＰＣ１００、１１０と接続され、ノートＰＣ１００、１１０から送信される複数の画像データを受信する外部機器接続部２０４と、画像データに基づく画像を表示する画像表示部２０１と、ユーザーによって操作されるキー入力部２０７と、キー入力部２０７を介して、ユーザーによって、画像表示部２０１に表示する画像データを出力するノートＰＣ１１０が指定された場合、ユーザーによって指定されたノートＰＣ１１０以外の画像供給装置、すなわち、ノートＰＣ１００に対して、画像データの供給の一時停止を要求する一時停止要求信号を出力する制御部２０５と、を備えることを特徴とする。【選択図】図２
2010176020.tif 000002
【特許請求の範囲】
【請求項１】
複数の画像供給装置と接続され、前記画像供給装置から送信される複数のデータを受信する外部機器接続部と、
前記データに基づく画像を出力する出力部と、
ユーザーユーザーによって操作される入力を受け付ける操作部と、
前記操作部を介して、ユーザーによって、前記表示部に表示する前記データを出力する前記画像供給装置を指定する指示が入力された場合、前記ユーザーによって指示された前記画像供給装置以外の前記画像供給装置に対して、前記データの供給の一時停止を要求する一時停止要求信号を出力する制御部と、
を備えることを特徴とする画像表示装置。
【請求項２】
前記制御部は、
前記操作部を介して、前記ユーザーによって、前記表示部に表示する前記データを出力する前記画像供給装置として、他の前記画像供給装置が指定された場合、指定された前記画像供給装置に対して、前記データの供給の再開を要求する再開要求信号を出力し、それ以外の前記画像供給装置に対しては、前記一時停止要求信号を出力することを特徴とする請求項１に記載の画像表示装置。
【請求項３】
前記画像表示装置は、
前記データに基づく画像をスクリーンに投影するプロジェクター、あるいは表示画面に画像を表示するディスプレイであることを特徴とする請求項１あるいは２に記載の画像表示装置。
【請求項４】
複数の画像供給装置と、前記画像供給装置から送信されるデータを受信する画像表示装置とを備える画像表示システムにおいて、
前記画像表示部は、
前記画像供給装置から送信される複数のデータを受信する外部機器接続部と、
前記データに基づく画像を出力する出力部と、
ユーザーによって操作される入力を受け付ける操作部と、
前記操作部を介して、ユーザーによって、前記表示部に表示する前記データを出力する前記画像供給装置を指定する指示が入力された場合、前記ユーザーによって指示された前記画像供給装置以外の前記画像供給装置に対して、前記データの供給の一時停止を要求する一時停止要求信号を出力する制御部と、
を備えることを特徴とする画像表示システム。
【請求項５】
前記画像供給装置は、
前記画像表示装置から出力される信号に従って動作し、前記一時停止要求信号に従って前記データの出力を一時停止させ、前記再開要求信号に従って前記データの出力を再開させることを特徴とする請求項４に記載の画像表示システム。
【請求項６】
第１のコンピューターに、
複数の第２のコンピューターから送信されるデータを外部機器接続部に受信させる手順と、
前記データに基づく画像を表示部に出力させる手順と、
ユーザーによって操作される入力を受け付ける操作部を介して、前記ユーザーによって前記表示部に表示する前記データを出力する前記第２のコンピューターを指定する指示が入力された場合、前記ユーザーによって指示された前記第２のコンピューター以外の前記第２のコンピューターに対して、前記データの供給の一時停止を要求する一時停止要求信号を出力させる手順と、
前記操作部を介して、前記ユーザーによって、前記表示部に表示する前記データを出力する前記第２のコンピューターとして、他の前記第２のコンピューターが指示された場合、指示された前記第２のコンピューターに対して、前記データの供給の再開を要求する再開要求信号を出力し、それ以外の前記第２のコンピューターに対しては、前記一時停止要求信号を出力させる手順と、
を実行させるためのプログラム。
【請求項７】
前記第２のコンピューターに、
前記一時停止要求信号が受信された場合、前記一時要求信号に従って前記データの出力を一時停止させる手順と、
前記再生要求信号が受信された場合、前記再開要求信号に従って前記データの出力を再開させる手順と、
を実行させるための請求項６に記載のプログラム。
【発明の詳細な説明】
【技術分野】
【０００１】
本発明は、主に、画像データや音声データ等を供給する画像供給装置と、画像供給装置と接続され、画像供給装置から供給されるデータに基づく画像を表示し、あるいは音声を出力する画像表示装置とのデータ交換システムに関する。
【背景技術】
【０００２】
画像表示装置、例えばプロジェクターは、コンピューターやデータ記憶装置等の画像供給装置と通信可能に接続され、この画像供給装置から連続して送信されるデータを受信し、受信したデータに基づく画像を連続してスクリーン等に表示する（例えば、特許文献１参照）。
【先行技術文献】
【特許文献】
【０００３】
【特許文献１】特開２００７−２６４０７９号公報
【発明の概要】
【発明が解決しようとする課題】
【０００４】
しかしながら、画像表示装置は、複数の画像供給装置と通信可能に接続されている場合、複数の画像供給装置から絶えず画像データが供給され、連続した画像データに基づく映像を表示する。このため、画像表示装置は、例えば、複数の画像供給装置から複数の画像データが供給された場合、一の画像供給装置から供給される画像データに基づく映像のみを表示し、他の画像供給装置から供給される画像データは、表示しないにも関わらず、連続して入力され続けている。
また、画像表示装置は、画像データが入力されると、ＣＰＵが画像データを解析し、記憶領域に展開する等の処理を行うものが多い。このため、画像供給装置に供給される画像データが入力され続けると、そのデータ容量が増大することにより、画像表示装置のＣＰＵの処理負荷が増大し、記憶領域の利用効率が低下する問題があった。
【０００５】
本発明は、このような事情を考慮し、上記の問題を解決すべくなされたものであって、その目的は、画像表示装置のＣＰＵの処理負荷を軽減させ、記憶領域の利用効率を向上させる画像表示装置、画像表示システムおよびプログラムを提供することにある。
【課題を解決するための手段】
【０００６】
上記問題を解決するために、本発明は、複数の画像供給装置と接続され、前記画像供給装置から送信される複数のデータを受信する外部機器接続部と、前記データに基づく画像を出力する出力部と、ユーザーによって操作される入力を受け付ける操作部と、前記操作部を介して、ユーザーによって、前記表示部に表示する前記データを出力する前記画像供給装置を指定する指示が入力された場合、前記ユーザーによって指示された前記画像供給装置以外の前記画像供給装置に対して、前記データの供給の一時停止を要求する一時停止要求信号を出力する制御部と、を備えることを特徴とする画像表示装置である。
これにより、表示部に表示するデータを出力しない画像供給装置に対しては、データの供給を一時的に停止させることができるため、表示されないデータをメモリー領域に保存したり、解析したり等の処理が不要になるため、ＣＰＵの稼動負担が軽減され、使用されるメモリー領域を軽減することができる。また、一時停止要求信号を受信した画像供給装置は、スタンバイ状態となり、画像供給装置と画像表示装置間の通信方法の識別等が確保されているため、画像データ送信の再開要求信号が入力されることで、直ちに画像データを画像表示装置に送信することができる。
【０００７】
また、本発明にかかる画像表示装置は、前記制御部が、前記操作部を介して、前記ユーザーによって、前記表示部に表示する前記データを出力する前記画像供給装置として、他の前記画像供給装置が指定された場合、指定された前記画像供給装置に対して、前記データの供給の再開を要求する再開要求信号を出力し、それ以外の前記画像供給装置に対しては、前記一時停止要求信号を出力することを特徴とする。
これにより、画像表示装置は、一時的にデータの送信が停止されていた画像供給装置から、再度、データを受信することができる。
【０００８】
また、本発明にかかる画像表示装置は、記画像表示装置が、前記データに基づく画像をスクリーンに投影するプロジェクター、あるいは表示画面に画像を表示するディスプレイであることを特徴とする。
【０００９】
また、本発明にかかる画像表示装置は、前記画像供給装置が、前記画像表示装置から出力される信号に従って動作し、前記一時停止要求信号に従って前記データの出力を一時停止させ、前記再開要求信号に従って前記データの出力を再開させることを特徴とする。
【００１０】
また、本発明は、複数の画像供給装置と、前記画像供給装置から送信されるデータを受信する画像表示装置とを備える画像表示システムにおいて、前記画像表示部は、前記画像供給装置から送信される複数のデータを受信する外部機器接続部と、前記データに基づく画像を出力する出力部と、ユーザーによって操作される入力を受け付ける操作部と、前記操作部を介して、ユーザーによって、前記表示部に表示する前記データを出力する前記画像供給装置を指定する指示が入力された場合、前記ユーザーによって指示された前記画像供給装置以外の前記画像供給装置に対して、前記データの供給の一時停止を要求する一時停止要求信号を出力する制御部と、を備えることを特徴とする画像表示システムである。
【００１１】
また、本発明は、第１のコンピューターに、第２のコンピューターから送信される複数のデータを外部機器接続部に受信させる手順と、前記データに基づく画像を表示部に出力させる手順と、ユーザーによって操作される入力を受け付ける操作部を介して、前記ユーザーによって前記表示部に表示する前記データを出力する前記第２のコンピューターを指定する指示が入力された場合、前記ユーザーによって指示された前記第２のコンピューター以外の前記第２のコンピューターに対して、前記データの供給の一時停止を要求する一時停止要求信号を出力させる手順と、前記操作部を介して、前記ユーザーによって、前記表示部に表示する前記データを出力する前記第２のコンピューターとして、他の前記第２のコンピューターが指示された場合、指示された前記第２のコンピューターに対して、前記データの供給の再開を要求する再開要求信号を出力し、それ以外の前記第２のコンピューターに対しては、前記一時停止要求信号を出力させる手順と、を実行させるためのプログラムである。
【００１２】
また、本発明にかかるプログラムは、前記第２のコンピューターに、前記一時停止要求信号が受信された場合、前記一時要求信号に従って前記データの出力を一時停止させる手順と、前記再生要求信号が受信された場合、前記再開要求信号に従って前記データの出力を再開させる手順と、を実行させることを特徴とする。
【図面の簡単な説明】
【００１３】
【図１】本実施の形態に係る画像表示システムの構成の一例を説明するための概略図である。
【図２】本実施の形態に係る画像供給装置と画像表示装置の構成の一例を説明するための概略図である。
【図３】本実施の形態に係る画像表示システムの画像データの一時停止を要求する方法の一例について示すフローチャートである。
【図４】本実施の形態に係る画像表示システムの画像データの再開を要求する方法の一例について示すフローチャートである。
【図５】本実施の形態に係る画像供給装置と画像表示装置の構成の他の例を説明するための概略図である。
【発明を実施するための形態】
【００１４】
次に、発明を実施するための形態について図面を参照して詳細に説明する。図１は、本実施の形態に係る画像表示システムの構成の一例を説明するための概略図である。
［第１の実施形態］
図１に示す通り、本実施の形態に係る画像表示システムは、画像供給装置としてノートタイプのパーソナルコンピューター１００（以下、ノートＰＣ１００と記す）と、画像表示装置としてのプロジェクター２００とを有する。また、画像表示システムは、ノートＰＣ１００とプロジェクター２００との通信を確保する手段として、例えば、ノートＰＣ１００とプロジェクター２００とを接続するＵＳＢケーブル３００をさらに備える。ノートＰＣ１００は、ＵＳＢケーブル３００を介して、プロジェクター２００に画像データを送信し、画像データを受信したプロジェクター２００は、画像データに応じた画像光を任意のスクリーンに投影させ、画像を表示する。
なお、ノートＰＣ１００とプロジェクター２００間で通信されるデータとして、以下画像データを例に説明するが、本発明はこれに限られず、例えば、画像データと音声データを含むもの、音声データのみのもの等であってもよい。
【００１５】
図２は、ノートＰＣ１００とプロジェクター２００の構成の一例を示すブロック図である。なお、図２に示す画像表示システムは、1つのプロジェクター２００に対して、複数のノートＰＣ１００、１１０が通信可能に接続される一例を示す。
図２に示す通り、ノートＰＣ１００は、制御部１０１と、画像出力部１０２と、メモリー部１０３とを備える。
映像出力部１０２は、例えば、ＵＳＢケーブル３００と接続可能なＵＳＢインターフェイス（図示せず）を備え、ＵＳＢケーブル３００を介してプロジェクター２００と接続される。映像出力部１０２は、ＵＳＢケーブル３００を介して、プロジェクター２００とデータ通信を行い、画像データ等をＵＳＢケーブル３００で通信可能な信号に変換しプロジェクター２００に送信する。また、映像出力部１０２は、プロジェクター２００から受信したコマンドを、制御部１０１において認識可能な信号に変換し、制御部１０１に出力する。
メモリー部１０３は、制御部１０１や映像出力部１０２に任意の機能を発揮させるための様々な制御プログラムや、映像出力部１０２を介してプロジェクター２００に出力される画像データ等の情報等を記憶している。
【００１６】
制御部１０１は、映像出力部１０２とプロジェクター２００とがＵＳＢケーブル３００を介して接続されると、メモリー部１０３から読み出された画像データに同期信号を付与して、プロジェクター２００に送信する。また、制御部１０１は、映像出力部１０２を介してプロジェクター２００から入力されるコマンドに応じて、画像データの送信を制御し、例えば、プロジェクター２００から画像データの供給を要求するコマンド（データ供給要求信号）が入力された場合、画像データを送信する。さらに、制御部１０１は、プロジェクター２００から一時停止を要求するコマンド（一時停止要求信号）が入力された場合、画像データの送信を一時停止し、スタンバイ状態となる。また、スタンバイ状態となった制御部１０１は、プロジェクター２００から画像データ送信の再開を要求するコマンド（再開要求信号）が入力されると、スタンバイ状態を解除し、画像データの送信を再開する。
なお、スタンバイ状態とは、ノートＰＣ１００とプロジェクター２００とが通信可能な状態で確保されているが、画像データがノートＰＣ１００からプロジェクター２００に対して送信されていない状態であって、プロジェクター２００から送信される画像データの再開要求信号を待っている状態をいう。スタンバイ状態のノートＰＣ１００は、通信可能な状態、すなわち、ノートＰＣ１００とプロジェクター２００間の通信方法の識別等が確保されているため、画像データ送信の再開要求信号が入力されることで、直ちに画像データをプロジェクター２００に送信することができる。
【００１７】
ノートＰＣ１１０は、制御部１１１と、映像出力部１１２と、メモリー部１１３を備え、映像出力部１１２を介して、例えば、無線ＬＡＮ（ Local area network ）でプロジェクター２００と通信可能に接続される。なお、ノートＰＣ１００と同様の構成や機能についての説明は省略する。
映像出力部１１２は、例えば、プロジェクター２００と無線ＬＡＮで通信を行う無線通信インターフェイスを備え、画像データ等を無線ＬＡＮで通信可能な信号に変換し、プロジェクター２００に送信し、また、プロジェクター２００から受信したコマンドを、制御部１１１において認識可能な信号に変換する。
【００１８】
プロジェクター２００は、画像表示部２０１と、カード挿入部２０２と、メモリー部２０３と、外部機器接続部（映像入力部）２０４と、制御部２０５と、画像処理部２０６と、キー入力部（操作部）２０７と、記憶装置２０８とを備える。なお、制御部２０５と画像処理部２０６とは、ＣＰＵ２０９を構成している。
なお、プロジェクター２００は、例えば、ノートＰＣ１００、１１０から入力された画像データをソフトウェアで復号化し、再生する、いわゆるソフトウェアデコードによって画像を表示する構成を有する。
【００１９】
画像表示部２０１は、画像供給装置１００、１１０から受信する画像データに基づき、例えば、光変調素子によって変調された変調光を出射し、スクリーン等に拡大投写する。
カード挿入部２０２は、着脱自在の外部カードメモリー等が接続されるインターフェイスであって、例えば、外部カードメモリー等に記憶されている画像データやプログラム等の情報を読み出す。
【００２０】
メモリー部２０３は、メモリー領域と、データ保存領域と、ＶＲＡＭ（ Video Random Access Memory ）領域等を含む。
メモリー部２０３は、制御部２０５や画像処理部２０６等に任意の機能を発揮させるための様々な制御プログラムを保持し、例えば、圧縮や符号化等がなされた画像データをデコードするデコードプログラムを、画像供給装置や画像データの種類に応じて複数個保持する。
メモリー部２０３のメモリー領域は、デコードプログラムが展開される領域であって、データ保存領域は、外部機器接続部２０４を介してノートＰＣ１００、１１０から入力された画像データが保存される領域であって、ＶＲＡＭ領域は、制御部２０５によってデコードされた画像データが保存される領域である。
【００２１】
外部機器接続部２０４は、複数のインターフェイスを含み、例えば、ＵＳＢケーブル３００を介してノートＰＣ１００と通信可能に接続されるＵＳＢインターフェイス２０４１と、無線ＬＡＮを介してノートＰＣ１１０と通信可能に接続される無線ＬＡＮインターフェイス２０４２とを含む。また、外部機器接続部２０４は、例えば、コンパレータ等からなる識別部を含み、各インターフェイスを介して画像データや同期信号等の入力があるか否かを識別し、画像データ等の入力の有無を制御部２０５に通知する。
さらに、外部機器接続部２０４は、制御部２０５から出力されたコマンドの送信先やプロトコルを解析し、コマンドの送信先に応じた画像供給装置と接続されているインターフェイスからコマンドを送信する。また、外部機器接続部２０４は、ノートＰＣ１００、１１０から受信した画像データをメモリー部２０３のデータ保存領域に保存する。
【００２２】
制御部２０５は、メモリー２０３のデータ領域に保存されている画像データのフォーマットを解析し、画像データに応じたデコードプログラムをメモリー部２０３のメモリー領域に展開する。また、制御部２０５は、展開したデコードプログラムに従ってメモリー２０３のデータ領域の保存されている画像データをデコードし、デコードされた画像データをメモリー部２０３のＶＲＡＭ領域に展開する。
さらに、制御部２０５は、ノートＰＣ１００、１１０に対して、画像データの一時停止要求信号や、画像データ送信の再開要求信号等を外部機器接続部２０４に出力する。
画像処理部２０６は、画像データに対して、例えば、画像補正を行う。
【００２３】
キー入力部２０７は、ユーザーによって操作され、ユーザーからの指示が入力される入力部である。キー入力部２０７は、例えば、プロジェクター２００の起動およびシャットダウンを指示するための電源ボタンや、画像信号を供給する画像供給装置を検索するための映像検索ボタン、所望の画像供給装置を選択するためのソース選択ボタン等を含む。
記憶装置２０８は、例えば、ＥＰＲＯＭ（ Erasable Programmable ROM ）やＥＥＲＯＭ（ Electrically Erasable ROM ）等の不揮発性メモリーであって、例えば、プロジェクター２００の設定情報等を保持する。
【００２４】
次にノートＰＣ１００からプロジェクター２００に送信される画像データを、プロジェクター２００によって表示させる方法の一例について説明する。なお、ノートＰＣ１００からプロジェクター２００に送信される画像データとして、例えば、ノートＰＣ１００によって生成されるノートＰＣ１００の表示画面（図示せず）に表示される画像データ（例えば、映像を構成する連続する画像データ）を用いて以下説明する。
まず、図２に示す通り、ノートＰＣ１００とプロジェクター２００がＵＳＢケーブル３００を介して接続されると、ノートＰＣ１００の映像出力部１０２が、プロジェクター２００に対して同期信号が付与された画像データを送信する。プロジェクター２００の外部機器接続部２０４は、ＵＳＢインターフェイス２０４１を介して画像データを受信すると、画像データに付されている同期信号を解析し、制御部２０５に対して、ＵＳＢインターフェイスを介してノートＰＣ１００から画像データの送信要求があった旨を通知する。また、外部機器接続部２０４は、ノートＰＣ１００から受信した画像データをメモリー部２０３のデータ保存領域に保存する。
【００２５】
制御部２０５は、外部機器接続部２０４からの通知に基づき、ＵＳＢケーブル３００を介して通信された画像データをデコードするデコードプログラムをメモリー部２０３のメモリー領域に展開する。制御部２０５は、メモリー部２０３のメモリー領域に展開されているデコードプログラムに従って、メモリー部のデータ保存領域に保存されている画像データをデコードし、メモリー部２０３のＶＲＡＭ領域に展開する。そして、制御部２０５は、メモリー部２０３のＶＲＡＭ領域に展開されている画像データを画像表示部２０１へ出力する。これにより、画像表示部２０１は、入力された画像データを変調光に変調し、スクリーン等に画像データに基づく画像を投写する。
【００２６】
次に、図３、４を参照して、本実施の形態に係る画像表示システムの動作の一例について説明する。図３は、画像データの一時停止を要求する方法の一例について示すフローチャートである。
まず、ノートＰＣ１００とＵＳＢケーブル３００を介して通信可能に接続されている状態のプロジェクター２００に、ノートＰＣ１００から画像データが入力されると、上述した通り、プロジェクター２００は、ノートＰＣ１００から受信した画像データを変換し、スクリーン等に投写する（ステップＳＴ１）。プロジェクター２００は、ノートＰＣ１００から画像データが連続して入力している場合、画像表示部２０１によって表示される画像を連続して生成し、ノートＰＣ１００から送信される画像データに基づく映像を表示する。
【００２７】
ユーザーによってキー入力部（映像検索ボタン）２０７が押下されると（ステップＳＴ２）、制御部２０５は、ノートＰＣ１００以外に、外部機器接続部２０４に対して画像データを送信している画像供給装置があるか否かを検出する。
次いで、キー入力部（ソース選択ボタン）２０７を介して、ユーザーから画像供給装置としてノートＰＣ１１０を選択する指示が入力されると、制御部２０５は、ノートＰＣ１１０との通信を開始する。
キー入力部（映像検索ボタン）２０７が押下され、無線ＬＡＮを介してノートＰＣ１１０から画像データが外部機器接続部２０４に送信されると、画像データをメモリー部２０３のデータ保存領域に保存すると共に、画像データに付されている同期信号を解析し、制御部２０５に対して、無線ＬＡＮを介してノートＰＣ１１０から画像データの送信要求があった旨を通知する。制御部２０５は、外部機器接続部２０４からの通知に基づき、無線ＬＡＮで送信された画像データをデコードするデコードプログラムをメモリー部２０３のメモリー領域に展開する。そして、制御部２０５は、メモリー領域に展開されているデコードプログラムに従って、メモリー領域に保存されている画像データをデコードし、メモリー部２０３のＶＲＡＭ領域に展開する（ステップＳＴ３）。制御部２０５は、メモリー部２０３のＶＲＡＭ領域に展開された画像データを画像表示部２０１へ出力し、画像表示部２０１が、入力された画像データを変調光に変調し、スクリーン等に画像データに基づく画像を投写する（ステップＳＴ４）。
【００２８】
また、ステップＳＴ２に戻って、ユーザーから画像供給装置としてノートＰＣ１１０を選択する指示が入力されると、制御部２０５は、ノートＰＣ１１０以外の画像供給装置、すなわち、ノートＰＣ１００に対して、画像データの供給の一時的な停止を要求する一時停止要求信号を外部機器接続部２０４に出力する。外部機器接続部２０４は、制御部２０５から入力された一時停止要求信号を、ＵＳＢインターフェイス２０４１から出力し、ＵＳＢケーブル３００を介してノートＰＣ１００に送信する（ステップＳＴ５）。ノートＰＣ１００は、この一時停止要求信号を受信すると、プロジェクター２００に対する画像データの送信を一時的に停止させ、スタンバイ状態となる（ステップＳＴ６）。
【００２９】
上述の通り、プロジェクター２００がノートＰＣ１００、１１０と接続が確保された状態であって、ノートＰＣ１００から受信した画像データに基づく画像を画像表示部２０１に表示している状況で、画像表示部２０１に表示させる画像データのソースとして、ユーザーによってノートＰＣ１１０が選択されると、プロジェクター２００は、ノートＰＣ１１０以外のノートＰＣ１００に対して一時停止要求信号を送信する。これにより、プロジェクター２００は、ノートＰＣ１１０から画像データを受信して画像を表示している間、ノートＰＣ１００はスタンバイ状態にあり、ノートＰＣ１００から画像データがプロジェクター２００に送信されない。よって、制御部２０５によって、プロジェクター２００において画像を表示する画像供給装置として選択されていないノートＰＣ１００から受信した画像データは、デコードされることなく、また、メモリー２０３にノートＰＣ１００から受信した画像データや、デコードされた画像データ等が保存されない。これにより、ＣＰＵ２０９の稼動負担が軽減され、使用されるメモリー領域を軽減することができる。
【００３０】
次に、図４を参照して、一時停止されている画像供給装置に、画像データの送信を再開させる方法の一例について説明する。図４は、画像データの再開を要求する方法の一例について示すフローチャートである。
図４に示す通り、ユーザーによって、プロジェクター２００に画像データを供給する画像供給装置が、ノートＰＣ１００からノートＰＣ１１０に切り替えられた場合、ノートＰＣ１１０は、画像データをプロジェクター２００に連続して送信する。プロジェクター２００は、ノートＰＣ１１０から受信した画像データをデコードし、さらに変調光に変換して、スクリーン等に投写する（ステップＳＴ１１）。一方、ノートＰＣ１００は、一時停止要求信号に従って、スタンバイ状態として、画像データの送信を停止している。
ここで、ユーザーによって、キー入力部（映像検索ボタン）２７０が押下されると（ステップＳＴ２）、制御部２０５は、ノートＰＣ１００以外に外部機器接続部２０４に対して画像データを送信する画像供給装置があるか否かを判断し、例えば、ステップＳＴ５において、一時停止要求信号を送信した画像供給装置をメモリー部２０３に記憶しておき、ノートＰＣ１００を検出する。
【００３１】
次いで、キー入力部（ソース選択ボタン）２７０を介して、ユーザーから画像供給装置としてノートＰＣ１００を選択する指示が入力されると、制御部２０５は、ユーザーによって指示されたノートＰＣ１００に対してデータの供給の再開を要求する再開要求信号を送信する（ステップＳＴ１３）。再開要求信号を受けたノートＰＣ１００は、画像データの送信を再開し、ＵＳＢケーブル３００を介してプロジェクター２００の外部機器接続部２０４に画像データを送信し、外部機器接続部２０４が、受信した画像データをメモリー部２０３のデータ保存領域に出力する。
制御部２０５は、図３のステップＳＴ３において、メモリー部２０３のメモリー領域に展開された、ＵＳＢケーブル３００で通信された画像データをデコードするデコードプログラムに従って、メモリー部のデータ保存領域に保存されているノートＰＣ１００から受信した画像データをデコードし、メモリー部２０３のＶＲＡＭ領域に展開する。制御部２０５は、メモリー部２０３のＶＲＡＭ領域に展開された画像データを画像表示部２０１へ出力し、画像表示部２０１が、入力された画像データを変調光に変調し、スクリーン等に画像データに基づく画像を投写する（ステップＳＴ１４）。
【００３２】
また、ステップＳＴ１２に戻って、ユーザーから画像供給装置としてノートＰＣ１００を選択する指示が入力されると、制御部２０５は、ノートＰＣ１００以外の画像供給装置、すなわち、ノートＰＣ１１０に対して、画像データの供給を一時的な停止を要求する一時停止要求信号を外部機器接続部２０４に出力する。外部機器接続部２０４は、制御部２０５から入力された一時停止要求信号を、無線ＬＡＮインターフェイス２０４２から出力し、無線ＬＡＮを介してノートＰＣ１１０に送信する（ステップＳＴ１５）。ノートＰＣ１１０は、この一時停止要求信号を受信すると、プロジェクター２００に対する画像データの送信を一時的に停止させ、スタンバイ状態となる（ステップＳＴ１６）。
【００３３】
上述の通り、プロジェクター２００がノートＰＣ１００、１１０と接続が確保された状態であって、ノートＰＣ１１０から受信した画像データに基づく画像を画像表示部２０１に表示し、ノートＰＣ１００はスタンバイ状態とされている状況で、画像表示部２０１に表示させる画像データのソースとして、ユーザーによってノートＰＣ１００が選択されると、プロジェクター２００は、ノートＰＣ１００に対して再開要求信号を送信するとともに、ノートＰＣ１１０以外のノートＰＣ１１０に対して一時停止要求信号を送信する。これにより、プロジェクター２００は、ノートＰＣ１００から画像データを受信して画像を表示している間、ノートＰＣ１１０はスタンバイ状態となり、ノートＰＣ１１０から画像データがプロジェクター２００に送信されない。よって、制御部２０５によって、プロジェクター２００において画像を表示する画像供給装置として選択されていないノートＰＣ１１０から受信した画像データは、デコードされることなく、また、メモリー２０３にノートＰＣ１１０から受信した画像データや、デコードされた画像データ等が保存されない。これにより、ＣＰＵ２０９の稼動負担が軽減され、使用されるメモリー領域を軽減することができる。
【００３４】
また、画像データの送信がユーザーから指示されていないノートＰＣ１００、１１０は、一時停止要求信号を受信すると、スタンバイ状態となり、再開要求信号の受信を待っている。このように、ノートＰＣ１００とプロジェクター２００は、画像データが伝送されていないときでも、通信可能な接続が確保されているため、画像データの供給の再開を要求する際に、ノートＰＣ１００、１１０とプロジェクター２００との通信を再度、確保する作業が不要となり、画像データの送信を再開するまでの時間が短縮される。よって、ユーザーを待たせることなく、直ちに画像データをプロジェクター２００に送信し、表示することができる。
【００３５】
［第２の実施形態］
次に、図５を用いて、画像表示システムの他の実施の形態について説明する。図５は、画像供給装置と画像表示装置の構成の他の例について示すフローチャートである。なお、図２に示す構成部材と同様の構成や機能を備える構成部材については、同一の符号や名称を付して、詳細な説明は省略する。
図５に示す通り、本実施の形態に係る画像表示システムは、第１の画像供給装置１２０と、第２の画像供給装置１３０と、第３の画像供給装置１４０と、それぞれと通信可能に接続される画像表示装置２１０とを備える。また、画像表示システムは、第１〜３の画像供給装置１２０〜１４０と画像表示装置２１０との通信を確保する手段として、例えば、第１の画像供給装置１２０と画像表示装置２１０とを接続するＵＳＢケーブル３１０と、第２の画像供給装置１３０と画像表示装置２１０とを接続するＨＤＭＩ接続手段３２０と、第３の画像供給装置１４０と画像表示装置２１０とを無線通信で接続する無線ＬＡＮ接続手段とを備える。
ＨＤＭＩ（ High-Definition Multimedia Interface ）接続手段３２０とは、１本のケーブルで画像データ、音声データ、および制御信号をあわせて伝送できるものであって、主に、パーソナルコンピューターと液晶表示装置等のディスプレイを接続する手段として利用されている。さらに、無線ＬＡＮ接続手段とは、ビデオカメラ等で撮像された複数画像データが連続して動画を構成する画像データを無線ＬＡＮで伝送する手段であるが、無線ＬＡＮに限られず、有線ＬＡＮであってもよい。
【００３６】
画像表示装置２１０は、画像表示部２０１と、第１のメモリー部２１１と、第２のメモリー部２１２と、制御部２１３と、画像処理部２１４と、外部機器接続部２１５とを備え、制御部２１３と画像処理部２１４とが、ＣＰＵ２０９を構成している。
画像表示装置２１０は、第１〜３の画像供給装置１２０〜１４０から入力された画像データをハードウェアで復号化し、再生する、いわゆるハードウェアデコードによって画像を表示する構成を有する。
【００３７】
第１のメモリー部２１１は、制御部２１３や画像処理部２１４等に任意の機能を発揮させるための様々な制御プログラムを保持する。
第２のメモリー部２１２は、画像処理部２１４によってデコードされた画像データを保持するデータ保存領域を含む。
制御部２１３は、画像表示装置２１０を統括的に制御する。
【００３８】
画像処理部２１４は、外部機器接続部２１５を介して、第１〜３の画像供給装置１２０〜１４０から受信した画像データに対して、画像表示部２０１に応じたデータに変換するデータ変換処理を行う。すなわち、画像処理部２１４は、それぞれ異なる伝送手段で画像データを送信する第１〜３の画像供給装置１２０〜１４０に応じて、第１〜３のデータ変換処理部（図示しない）を備える。また、画像処理部２１４は、データ変換処理をした画像データを第２のメモリー部２１２のＶＲＡＭ領域に保存する。画像表示部２０１は、第２のメモリー部２１２のＶＲＡＭ領域に保存されている画像データを読み出し、表示する。
【００３９】
外部機器接続部２１５は、ＵＳＢケーブル３１０と接続されるＵＳＢインターフェイス２１５１と、ＨＤＭＩ接続手段３２０と接続されるＨＤＭＩインターフェイス２１５２と、画像データ伝送手段として無線通信で第３の画像供給装置１４０と接続される無線ＬＡＮインターフェイス２１５３とを備える。また、外部機器接続部２１５は、第１〜３の画像供給装置ｌ２０〜１４０から受信した画像データを画像処理部２１４に出力する。
なお、図示していないが、画像表示装置２１０は、図２と同様に、カード挿入部２０２と、キー入力部２０７、記憶装置２０８とを備える構成であってもよい。
【００４０】
次に、本実施の形態に係るデータ通信システムのデータ通信方法の一例について説明する。
例えば、第１の画像供給装置１２０と画像表示装置２１０とが、ＵＳＢケーブル３１０を介して接続されると、第１の画像供給装置１２０が、画像表示装置２１０に対して画像データを送信する。画像表示装置２１０の外部機器接続部２１５は、ＵＳＢインターフェイス２１５１を介して画像データを受信すると、受信した画像データを画像処理部２１４に転送する。画像処理部２１４は、画像データを受信すると、画像データに応じた第１のデータ変換処理部（図示せず）によって、画像表示部２０１に表示される画像データに変換し、画像表示部２０１に出力する。画像表示部２０１は、入力された画像データを変調光に変調し、スクリーン等に画像データに基づく画像を投写する。
画像表示装置２１０は、上述と同様にして、第２の画像供給装置１３０と第３の画像供給装置１４０から送信された画像データを受信し、画像表示部２０１に表示させる。
【００４１】
この構成により、例えば、画像表示装置２１０が第１〜３の画像供給装置１２０〜１４０と接続が確保された状態であって、第１の画像供給装置１２０から受信した画像データに基づく映像等を画像表示部２０１に表示させている場合において、画像表示部２０１に表示させる画像データのソースとして、ユーザーによって第２の画像供給装置１３０が選択されると、画像表示装置２１０は、第２の画像供給装置１３０以外の第１、３の画像供給装置１２０、１４０に対して一時停止要求信号を送信する。これにより、画像表示装置２１０が、第２の画像供給装置１３０から画像データを受信して画像を表示している間、第１、３の画像供給装置１２０、１４０はスタンバイ状態となり、第１、３の画像供給装置１２０、１４０からは画像データが画像表示装置２１０に送信されない。
【００４２】
また、例えば、画像表示装置２１０が、第２の画像供給装置１３０から受信した画像データに基づく画像を画像表示部２０１に表示し、第１、３の画像供給装置１２０、１４０はスタンバイ状態で、画像表示部２０１に表示させる画像データのソースとして、ユーザーによって第３の画像供給装置１４０が選択されると、画像表示装置２１０は、第３の画像供給装置１４０に対して再開要求信号を送信するとともに、第３の画像供給装置１４０以外の第１、２の画像供給装置１２０、１３０に対して一時停止要求信号を送信する。これにより、画像表示装置２１０が第３の画像供給装置１４０から画像データを受信して画像を表示している間、第１、２の画像供給装置１２０、１３０はスタンバイ状態となり、第１、２の画像供給装置１２０、１３０からは画像データが画像表示装置２１０に送信されない。
よって、画像処理部２１４は、第２の画像供給装置１３０から受信した画像データに対してだけデータ変換処理をすればよいため、ユーザーによって表示が指示されていない画像データは、画像処理部２１４の第１〜３のデータ変換処理部等によって処理されないため、ＣＰＵ２０９の稼動負担を軽減することができる。
【００４３】
なお、画像表示装置の一例として本実施の形態において説明したプロジェクター２００としては、例えば、光源が放射した白色光を、３原色成分である赤色光、青色光、緑色光に分離し、各色光ごとに各色光用の液晶ライトバルブ（光変調素子）に従って、画像データに応じた変調光に変調し、再合成したフルカラーの変調光を投映レンズを介してスクリーンに拡大投写する、いわゆる液晶３板式プロジェクター等が利用可能である。
また、プロジェクター２００は、液晶プロジェクターには限定されず、例えば、ＤＭＤ(Digital Micromirror Device)を用いたプロジェクター等であってもよい。なお、ＤＭＤは米国テキサス・インスツルメンツ社の商標である。
また、画像表示装置は、プロジェクターに限られず、例えば、液晶画面を有するディスプレイや通信端末等であってもよい。
また、プロジェクター２００のキー入力部２０７は、プロジェクター２００に設けられる操作ボタンやキー等を例に説明したが、本発明はこれに限られず、例えば、リモコン等から指示信号を受信し、遠隔操作がなされる構成であってもよい。
【００４４】
また、画像供給装置としては、例えば、ゲーム機器や、携帯電話端末、ＤＶＤ再生装置、無線通信で接続される映像信号供給装置等であってもよい。
また、プロジェクター２００の外部機器接続部２０４は、ＵＳＢインターフェイスやＬＡＮインターフェイスだけでなく、例えば、アナログＲＧＢ信号を送信する画像供給装置と接続されるインターフェイスや、ＤＶＤプレーヤやＳビデオプレーヤから出力される画像データ（Ｓ信号）を受信するインターフェイス、ビデオプレーヤやＴＶチューナから出力されるコンポジット信号を受信するインターフェイス、あるいは、専ら一般家電に利用されている音声データおよび画像データを伝送するＨＤＭＩを利用したインターフェイス等を有する構成であってもよい。
【００４５】
また、上述の画像供給装置１００および画像表示装置２００における動作の過程は、コンピューターに実行させるためのプログラムや、このプログラムとしてコンピューター読み取り可能な記録媒体として利用可能であり、コンピューターシステムが読み出して実行することによって、上記処理が行われる。なお、ここでいう「コンピューターシステム」とは、ＣＰＵ及び各種メモリーやＯＳ、周辺機器等のハードウェアを含むものである。
また、「コンピューターシステム」は、ＷＷＷシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００４６】
さらに「コンピューター読み取り可能な記録媒体」とは、インターネット等のネットワークや電話回線等の通信回線を介してプログラムが送信された場合のサーバやクライアントとなるコンピューターシステム内部の揮発性メモリー（例えばＤＲＡＭ（Dynamic Random Access Memory））のように、一定時間プログラムを保持しているものも含むものとする。
また、上記プログラムは、このプログラムを記憶装置等に記憶したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピューターシステムに既に記録されているプログラムとの組合せで実現できるもの、いわゆる差分ファイル（差分プログラム）であっても良い。
【符号の説明】
【００４７】
１００  画像供給装置（ノートＰＣ）
１０１  制御部
１０２  映像出力部
１０３  メモリー部
２００  画像表示装置（プロジェクター）
２０１  画像表示部
２０２  カード挿入部
２０３  メモリー部
２０４  外部機器接続部
２０５  制御部
２０６  画像処理部
２０７  キー入力部
２０８  記憶装置
２０９  ＣＰＵ
２０４１  ＵＳＢインターフェイス
２０４２  無線ＬＡＮインターフェイス
【図１】
2010176020.tif 000003
【図２】
2010176020.tif 000004
【図３】
2010176020.tif 000005
【図４】
2010176020.tif 000006
【図５】
2010176020.tif 000007